(57)【要約】【課題】取付板部をドアの表面にねじ止めしなくてもカバー本体をドアから容易に取り外せないようにして、ドアの表面を損傷させずにサムターンカバーの防犯性を向上する。【解決手段】ドア２の表面から突出するサムターン７のシリンダカラー８よりも小径の嵌合凹部１２を有する取付板部１３と、ドア２から離れる方向に突出するように取付板部１３に一体に突設されたカバー部１４と、を有するカバー本体１０を備えているサムターンカバーにおいて、取付板部１３の嵌合凹部１２の開口部分１５を閉塞してカバー本体１０がシリンダカラー８の径外方向に抜け出るのを規制する規制部材１１を設ける。【選択図】      図１
2004183461.tif 000002
【特許請求の範囲】
【請求項１】
ドア（２）の表面から突出するサムターン（７）のシリンダカラー（８）よりも小径の嵌合凹部（１２）を有する取付板部（１３）と、前記ドア（２）から離れる方向に突出するように前記取付板部（１３）に一体に突設されたカバー部（１４）と、を有するカバー本体（１０）を備えているサムターンカバーにおいて、
前記取付板部（１３）の嵌合凹部（１２）の開口部分（１５）を閉塞して前記カバー本体（１０）が前記シリンダカラー（８）の径外方向に抜け出るのを規制する規制部材（１１）が設けられていることを特徴とするサムターンカバー。
【請求項２】
規制部材（１１）は、嵌合凹部（１２）の開口部分（１５）に嵌り込む閉塞板部（１８）と、ドア（２）から離れる方向に突出するように前記閉塞板部（１８）に一体に突設された閉塞カバー部（１９）とを備えている請求項１に記載のサムターンカバー。
【請求項３】
規制部材（１１）は、閉塞カバー部（１９）をカバー本体（１０）のカバー部（１４）に対して重合状態で連結するための連結部（２０）を備えている請求項２に記載のサムターンカバー。
【発明の詳細な説明】
【０００１】
【発明の属する技術分野】
本発明は、施錠装置のサムターンが部外者によって不正に操作されるのを防止するためのサムターンカバーに関する。
【０００２】
【従来の技術】
従来より普及しているサムターン付きのシリンダ錠は、室外側に露出する鍵孔を有するシリンダ錠がドアの室外側に装着され、このシリンダ錠と同軸心状に連結されたサムターンがドアの室内側に装着されたものである。かかるシリンダ錠においては、室外側のシリンダ錠の鍵孔に合鍵を挿入して回動操作すると、デッドボルトがドアの自由端より出没してドア枠側のボルト受けと係脱し、施解錠されるようになっている。
【０００３】
他方、室内側からの施解錠に際しては、合鍵等の使用は不要であり、単にサムターンの摘みを回動操作するだけで済み、操作が非常に簡便であるという利点があることから、サムターン付きのシリンダ錠は一般に広く使用されている。
しかし、最近の玄関ドアではその全面或いは一部にガラス板を嵌め込んだ構造のものがあり、このようなドアでは、外部の侵入者がガラス板だけを破壊して手が入る程度の開口を作成し、この開口から挿入した手指で室内側のサムターンを操作して不正解錠することができるという不都合がある。
【０００４】
そこで、上記のような不正解錠を防止するため、ドアの表面から突出するサムターンのシリンダカラーよりも小径の嵌合凹部を有する取付板部と、前記ドアから離れる方向に突出するように前記取付板部に一体に突設されたカバー部と、を有するカバー本体を備えているサムターンカバーが市販されている。
【０００５】
【発明が解決しようとする課題】
かかるサムターンカバーをドアに装着するには、サムターンのシリンダカラーをドアから離れる方向に引っ張ってそのカバーとドアの間に隙間を形成し、この状態でカバー本体の嵌合凹部内にサムターンを導くようにして、カバー本体の取付板部を前記隙間に差し込むようにすればよい。
【０００６】
このようにしてサムターンカバーをドアに装着すると、そのカバー部がサムターンの外周部分を被覆することになるので、室外側から不正に挿入された部外者の手指がサムターンにアクセスし難くなり、前記した不正解錠を可及的に防止できて防犯性が向上することになる。しかしながら、従来のサムターンカバーでは、上記のようにしてサムターンカバーをドアに装着したあと、カバー本体の嵌合凹部の開口部分がそのままの状態で放置されていた。
【０００７】
このため、カバー本体を嵌合凹部に沿ってシリンダカラーの径外方向に強制的に引き抜くことにより、ドアに装着されたサムターンカバーを簡単に取り外すことができ、この点で、防犯対策の製品として余り役に立っていないのが現状であった。一方、上記の不都合を解消するには、例えばカバー本体の取付板部をドアの表面にねじ止めする手段が考えられるが、これでは、止めねじによってドアの表面を損傷してしまうという新たな課題が生じる。
【０００８】
そこで、本発明の課題は、取付板部をドアの表面にねじ止めしなくてもカバー本体をドアから容易に取り外せないようにして、ドアの表面を損傷させずにサムターンカバーの防犯性を向上する点にある。
【０００９】
【課題を解決するための手段】
上記の課題を解決するため、本発明は次の解決手段を採用した。
すなわち、本発明は、ドアの表面から突出するサムターンのシリンダカラーよりも小径の嵌合凹部を有する取付板部と、前記ドアから離れる方向に突出するように前記取付板部に一体に突設されたカバー部と、を有するカバー本体を備えているサムターンカバーにおいて、前記取付板部の嵌合凹部の開口部分を閉塞して前記カバー本体が前記シリンダカラーの径外方向に抜け出るのを規制する規制部材が設けられていることを特徴とする。
【００１０】
本発明に係るサムターンカバーによれば、上記規制部材が取付板部の嵌合凹部の開口部分を閉塞してカバー本体がシリンダカラーの径外方向に抜け出るのを規制するので、カバー本体又は規制部材そのものを破壊しない限り同本体をドアから取り外すことができず、しかも、取付板部をドアの表面にねじ止めする必要もない。
【００１１】
本発明において、規制部材は、嵌合凹部の開口部分に嵌り込む閉塞板部と、ドアから離れる方向に突出するように前記閉塞板部に一体に突設された閉塞カバー部とを備えたものを採用することが好ましい。この場合、サムターンの外周部分のうち、カバー本体の嵌合凹部の開口部分に対応する箇所が閉塞カバー部で被覆されることになるので、部外者の手指によるサムターンに対するアクセスがより困難になり、不正解錠に対する防犯性がより一層向上する。
【００１２】
更に、規制部材は、閉塞カバー部をカバー本体のカバー部に重合状態で連結するための連結部を備えていることが好ましい。この場合、カバー本体のカバー部と規制部材の閉塞カバー部が連結部を介して重合状態で連結されるので、両カバー部の接続部分の強度が向上してドアに装着した後のサムターンカバーを破壊するのがより困難になり、不正解錠に対する防犯性がより一層向上する。
【００１３】
【発明の実施の形態】
以下、図面に基いて、本発明の実施の形態を説明する。
図１及び図２に示すように、本実施形態のサムターンカバー１が適用される玄関ドア２には本締まり錠３が組み込まれており、この本締まり錠３は、ドア２の自由端面から出没するラッチボルト４及びデッドボルト５と、ラッチボルト４を操作するためのドアレバー６と、デッドボルト５を施解錠自在に操作するためのサムターン７付きのシリンダ錠とから構成されている。
【００１４】
上記サムターン７付きのシリンダ錠は、室外側に露出する鍵孔を有するシリンダ錠（図示せず。）をドア２の室外側に装着し、このシリンダ錠と同軸心状に連結されたサムターン７をドア２の室内側に装着することによって構成されている。かかるサムターン７付きのシリンダ錠では、室外側のシリンダ錠の鍵孔に合鍵を挿入して回動操作すると、デッドボルト５がドア２の自由端より出没してドア枠側のボルト受けと係脱して施解錠される。
【００１５】
他方、室内側からの施解錠に際しては、サムターン７の摘みを回動操作することにより、デッドボルト５を出没させることができる。なお、室外側のシリンダ錠（図示せず。）と室内側のサムターン７は、いずれも円錐台状のシリンダカラー８で被覆されており、このシリンダカラー８はドア２の表面に向かって付勢された状態で装着されていて、ドア２から若干引き離してその表面との間で隙間を形成できるようになっている。
【００１６】
本実施形態のサムターンカバー１は、サムターン７のシリンダカラー８に対して上から装着される硬質プラスチック製のカバー本体１０と、同シリンダカラー８に対して下から装着される同じ硬質プラスチック製の規制部材１１とを備えている。このうち、カバー本体１０は、ドア２の表面から突出するサムターン７のシリンダカラー８よりも小径の嵌合凹部１２を有する取付板部１３と、ドア２から離れる方向に突出するように取付板部１３に一体に突設されたカバー部１４とを有している。
【００１７】
図３及び図４に示すように、上記取付板部１３は、逆Ｕ字状の嵌合凹部１２が内部に形成されたほぼ馬蹄形状の板材よりなり、この取付板部１３の下方部分にはやや幅狭の開口部分１５が形成されている。これに対して、カバー部１４は、取付板部１３と直交した状態で同取付板部１３の外周縁に一体に連結されており、このカバー部１４の左右両下端部には、ねじ孔１６を有する膨出部１７が形成されている。
【００１８】
他方、前記規制部材１１は、取付板部１３の嵌合凹部１２の開口部分１５を閉塞してカバー本体１０がシリンダカラー８の径外方向に抜け出るのを規制するものであり、嵌合凹部１２の開口部分１５に嵌り込む閉塞板部１８と、ドア２から離れる方向に突出するように閉塞板部１８に一体に突設された閉塞カバー部１９と、この閉塞カバー部１９をカバー本体１０のカバー部１４に対して重合状態で連結するための連結部２０とを備えている。
【００１９】
図３及び図４に示すように、閉塞板部１８は、嵌合凹部１２の開口部分１５に丁度入り込む幅に形成され、この閉塞板部１８の下部に形成された湾曲縁に、当該閉塞板部１８と直交した状態で閉塞カバー部１９が一体に連結されている。なお、この閉塞カバー部１９は前記カバー部１４と同じ幅寸法に形成されている。前記連結部２０は、閉塞カバー部１９の左右両端部に左右方向の段差をつけた状態で一体に連結された湾曲板片よりなり、この連結部２０の中央部には前記カバー部１４のねじ孔１６と対応するねじ孔２１が形成されている。
【００２０】
次に、図１及び図２を参照しつつ、上記構成に係るサムターンカバー１の使用方法と作用を説明する。
すなわち、本実施形態のサムターンカバー１をドア２のシリンダカラー８に装着するには、サムターン７のシリンダカラー８をドア２から離れる方向に引っ張ってそのカラー８とドア２の間に隙間を形成し、この状態で、図１に矢印Ａで示すように、カバー本体１０の嵌合凹部１２内にサムターン７を導くようにして、同本体１０の取付板部１３を上記隙間に上から差し込むようにする。
【００２１】
その後、図１に矢印Ｂで示すように、嵌合凹部１２の開口部分１５に規制部材１の閉塞板部１８を下から差し込み、その規制部材１１の両連結部２０をカバー本体１０のカバー部１４にそれぞれ重合させ、ねじ孔１６，２１に止めねじ２２（図２参照）を螺合して規制部材１１をカバー本体１４に固定することにより、図２に示すようにサムターン１の装着が完了する。
なお、図示省略しているが、規制部材１１の閉塞板部１８の裏面には両面テープ等よりなる接着手段が設けられており、この接着手段を介して閉塞板部１８をドア２の表面に貼り付けることにより、装着後のサムターンカバー１が回り止めされるようになっている。
【００２２】
このように、本実施形態のサムターンカバー１によれば、規制部材１１が取付板部１３の嵌合凹部１２の開口部分１５を閉塞してカバー本体１０がシリンダカラー８の径外方向に抜け出るのを規制するので、取付板部１３をドア２の表面にねじ止めしなくても、カバー本体１０又は規制部材１１そのものを破壊しない限り同本体１０をドア２から取り外すことができない。従って、ドア２の表面を損傷させずにサムターンカバー１の防犯性を向上することができる。
【００２３】
また、本実施形態のサムターンカバー１では、サムターン７の外周部分のうち、カバー本体１０の嵌合凹部１２の開口部分１５に対応する箇所が規制部材１１の閉塞カバー部１９で被覆されるので、部外者の手指によるサムターン７に対するアクセスがより困難になり、不正解錠に対する防犯性をより一層向上することができる。
【００２４】
更に、本実施形態のサムターンカバー１によれば、カバー本体１０のカバー部１４と規制部材１１の閉塞カバー部１９が連結部２０を介して重合状態で連結されるので、両カバー部１４，１９の接続部分の強度が向上してドア２に装着した後のサムターンカバー１を破壊するのがより困難になり、この点においても、不正解錠に対する防犯性をより一層向上することができる。
【００２５】
なお、本発明のサムターンカバー１は、ドア２の室内側に設けたサムターン７のシリンダカラー８だけでなく、ドア２の室外側に設けたシリンダ錠のシリンダカラーに装着することも可能であり、この場合には、室外側のシリンダカラーの隙間から特殊な工具を挿入し、その工具によってシリンダ錠を迂回して直接デッドボルトを没入させるいわゆる「カム送り解錠（バイパス解錠とも言う。）」を防止することができる。
【００２６】
【発明の効果】
本発明によれば、取付板部をドアの表面にねじ止めしなくてもカバー本体をドアから容易に取り外せないようになっているので、ドアの表面を損傷させずにサムターンカバーの防犯性を向上することができる。
【図面の簡単な説明】
【図１】玄関ドアのシリンダカラーにサムターンカバーを装着する前の斜視図である。
【図２】玄関ドアのシリンダカラーにサムターンカバーを装着した後の斜視図である。
【図３】（ａ）はカバー本体の正面図であり、（ｂ）は規制部材の正面図である。
【図４】（ａ）はカバー本体の側面断面図であり、（ｂ）は規制部材の側面断面図である。
【符号の説明】
１      サムターンカバー
２      玄関ドア
７      サムターン
８      シリンダカラー
１０      カバー本体
１１      規制部材
１２      嵌合凹部
１３      取付板部
１４      カバー部
１５      開口部分
１８      閉塞板部
１９      閉塞カバー部
２０      連結部
【図１】
2004183461.tif 000003
【図２】
2004183461.tif 000004
【図３】
2004183461.tif 000005
【図４】
2004183461.tif 000006